(57)【要約】【課題】塗布ノズル交換又は表示パネルの形状変更により塗布ノズルの高さを調整した場合の検出センサ位置再調整等を不要にする表示パネル封止装置を提供する。【解決手段】治具５に配置された複数の表示パネル４の表示媒体注入孔を塗布ノズル１７により封孔剤を塗布して封止する。封孔剤が充填された容器１６を保持する容器ホルダ１３を、検出センサ１５を保持するセンサホルダ１１に吊り下げ、検出センサ１５とそれを作用させるセンサドグ１４の位置関係を一定に保持する。容器ホルダ１３とセンサホルダ１１は、相互に独立して上下移動する。【選択図】図２   
2005122027.tif 000002
【特許請求の範囲】
【請求項１】
一定間隔で対向配置された２枚の基板の間隙に注入孔から表示媒体を注入後に、塗布ノズルおよび該塗布ノズルと前記表示パネルの衝突を検出する検出センサを使用して封孔剤を塗布し、前記注入孔を封止する表示パネル封止装置において、
前記検出センサおよび該検出センサを作用させるセンサドグの位置関係を一定に保持して前記塗布ノズルの位置調整を行うことを特徴とする表示パネル封止装置。
【請求項２】
前記塗布ノズルが設けられた容器を保持する容器ホルダを、前記検出センサを保持するセンサホルダに吊り下げることを特徴とする請求項１に記載の表示パネル封止装置。
【請求項３】
前記センサホルダに先端が接触し、該センサホルダを上下させるマイクロメータヘッドを備えることを特徴とする請求項２に記載の表示パネル封止装置。
【請求項４】
前記塗付ノズルは、３次元方向へ移動するＸＹＺ装置に取り付けられ、前記塗付ノズルを任意の場所へ移動可能に構成されることを特徴とする請求項１、２又は３に記載の表示パネル封止装置。
【請求項５】
前記表示パネルは、複数個が、前記注入孔を上向きにして治具内に並列に配列されており、前記塗付ノズルを前記ＸＹＺ装置により移動させて前記封孔剤を順次塗布することを特徴とする請求項４に記載の表示パネル封止装置。
【請求項６】
前記容器には、空気チューブから空気を送り、前記塗付ノズルから前記封孔剤を吐き出すことを特徴とする請求項１乃至５の何れかに記載の表示パネル封止装置。
【請求項７】
前記表示パネルは液晶表示パネルであり、前記封孔剤は紫外線硬化型樹脂であることを特徴とする請求項１乃至６の何れかに記載の表示パネル封止装置。
【発明の詳細な説明】
【技術分野】
【０００１】
本発明は液晶表示パネル（ＬＣＤ）等の表示パネルに関し、特に液晶等の表示媒体の注入孔を、封孔剤を吐き出す塗布ノズルにより封止する表示パネル封止装置に関する。
【背景技術】
【０００２】
ＬＣＤ等の表示パネルにあっては、表面に多数の電極が形成されたガラス等の透明板又は基板を、例えば数ミクロンの間隔で保持し、これらの間隙に液晶又はその他の発光媒体を注入孔から注入する。そして、発光媒体の注入の後に、注入孔を適当な封孔剤を使用して封止し、注入された発光媒体が外部に漏洩し又は内部に湿気その他の不純物が侵入してその電気的又は物理的特性が変化しないようにする必要がある。斯かる目的のために使用されるのが、封止装置である。
【０００３】
図４は、一般的な液晶表示パネルの製造工程を示す。図４（Ａ）および（Ｂ）は、それぞれ液晶注入前の液晶表示パネルの正面図および上端面図である。また、図４（Ｃ）および（Ｄ）は、それぞれ液晶を注入し、液晶注入孔を封孔剤で封止した後の液晶表示パネルの正面図および上端面図である。
【０００４】
この液晶表示パネル１００は、２枚の平坦な薄いガラス基板１１０および１２０の周囲にシール剤１３０をスペーサとして予め決められた間隔で貼り合わせる。そして、例えば上端部に予め液晶注入孔１４０を形成し、この液晶注入孔１４０から液晶を注入する。このガラス基板１１０および１２０の表示領域の間隙が液晶で充填されると、適当な封孔剤（例えば、紫外線照射により硬化する液状の紫外線硬化樹脂等）で液晶注入孔１４０を封止して液晶表示パネル１００を完成する。尚、斯かる液晶表示パネル１００を駆動する駆動装置を液晶表示パネルの周辺部に一体的に形成するものもあるが、ここでは説明の便宜上、省略する。
【０００５】
典型的な表示パネルの注入孔を封止する塗布機構が開示されている。図５は、上述した液晶表示パネル１００の液晶注入孔１４０を封孔剤で封止する封止装置の従来例を示す。この塗布機構５０は、ＸＹＺ装置１、ベース７、マイクロメータヘッド８、スライドレール１０、引張ばね１２、容器ホルダ１３、センサドグ１４、検出センサ１５、容器１６、塗布ノズル１７、空気チューブ１８およびアダプタ１９等により構成される。
【０００６】
容器１６には、上述の如き封孔剤が入れられている。この容器１６の下端には、封孔剤を塗布する塗布ノズル１７が取り付けられている。アダプタ１９は、容器１６に空気を送る空気チューブ１８が接続されている。ＸＹＺ装置１は、塗布ノズル１７を対象物、即ち表示パネルの注入孔等が位置する任意位置へ移動させる。スライドレール１０は、ベース７に取り付けられている。容器ホルダ１３は、容器１６を保持するためにスライドレール１０に取り付けられている。マイクロメータヘッド８は、ベース７に取り付けられている。引張ばね１２は、ベース７に対して容器ホルダ１３を引き上げる力を作用させる。検出センサ１５は、塗布ノズル１７が対象物等に衝突する過負荷を検出する。センサドグ１４は、検出センサ１５を作用させる。
【０００７】
次に、図５に示す表示パネルの注入孔塗布機構による液晶表示パネルの液晶注入孔の封孔塗布動作を簡単に説明する。先ず、前工程で液晶が注入された複数個の液晶表示パネルがセットされた治具（図示せず）を位置決機構（図示せず）により位置決め保持する。次に、ＸＹＺ装置１により液晶表示パネル上に塗布ノズル１７を移動した後に、塗布ノズル１７を下降させて塗布対象物の塗布箇所へ近づける。
【０００８】
容器１６内には封孔剤が充填されており、圧縮空気が空気チューブ１８およびアダプタ１９を介して容器１６に圧送される。その結果、容器１６内の封止剤が塗布ノズル１７から吐き出される。封止剤を吐き出しながらＸＹＺ装置１を水平方向へ移動することにより、封止剤の線引き塗布が行われる。上述した動作を治具内の全ての液晶表示パネルに対して行って、後工程へ送り出す。
【発明の開示】
【発明が解決しようとする課題】
【０００９】
しかし、上述の如き従来の塗布機構には、次の如き課題を有する。即ち、ＸＹＺ装置１により、塗布ノズル１７の先端は、所定の塗布作業位置へ移動する。塗布ノズル１７の交換時又は表示パネルの形状変更の際に、マイクロメータヘッド８を回転することにより塗布ノズル１７の高さを調整する。しかし、マイクロメータヘッド８を回転して塗布ノズル１７の高さを調節すると、検出センサ１５を作用又は作動させるセンサドグ１４と検出センサ１５の位置関係も変化するので、塗布ノズル１７と塗布対象物との衝突を検出して塗布ノズル１７および／又は表示パネルの破損を回避するための検出ノズル１５とセンサドグ１４間の位置を再調節する必要があるという課題があった。
【００１０】
本発明は、従来技術の上述した課題に鑑みなされたものであり、マイクロメータヘッドを回転して塗布ノズルの高さを変更しても、検出センサおよびセンサドグの位置関係を再調整することなく簡単迅速な作業を可能にする表示パネル封止装置を提供することを目的とする。
【課題を解決するための手段】
【００１１】
前述の課題を解決するため、本発明による表示パネル封止装置は、次のうような特徴的な構成を採用している。
【００１２】
（１）一定間隔で対向配置された２枚の基板の間隙に注入孔から表示媒体を注入後に、塗布ノズルおよび該塗布ノズルと前記表示パネルの衝突を検出する検出センサを使用して封孔剤を塗布し、前記注入孔を封止する表示パネル封止装置において、
前記検出センサおよび該検出センサを作用させるセンサドグの位置関係を一定に保持して前記塗布ノズルの位置調整を行う表示パネル封止装置。
【００１３】
（２）前記塗布ノズルが設けられた容器を保持する容器ホルダを、前記検出センサを保持するセンサホルダに吊り下げる上記（１）に記載の表示パネル封止装置。
【００１４】
（３）前記センサホルダに先端が接触し、該センサホルダを上下させるマイクロメータヘッドを備える上記（２）に記載の表示パネル封止装置。
【００１５】
（４）前記塗付ノズルは、３次元方向へ移動するＸＹＺ装置に取り付けられ、前記塗付ノズルを任意の場所へ移動可能に構成される上記（１）、（２）又は（３）に記載の表示パネル封止装置。
【００１６】
（５）前記表示パネルは、複数個が、前記注入孔を上向きにして治具内に並列に配列されており、前記塗付ノズルを前記ＸＹＺ装置により移動させて前記封孔剤を順次塗布する上記（４）に記載の表示パネル封止装置。
【００１７】
（６）前記容器には、空気チューブから空気を送り、前記塗付ノズルから前記封孔剤を吐き出す上記（１）乃至（５）の何れかに記載の表示パネル封止装置。
【００１８】
（７）前記表示パネルは液晶表示パネルであり、前記封孔剤は紫外線硬化型樹脂である上記（１）乃至（６）の何れかに記載の表示パネル封止装置。
【発明の効果】
【００１９】
本発明の表示パネル封止装置によると、次の如き実用上の顕著な効果が得られる。即ち、封孔剤を充填する容器を保持する容器ホルダを、衝突を検出する検出センサを保持するセンサホルダに吊り下げるので、検出センサを作用させるセンサドグと検出センサは、一定の位置関係を保持して、塗布ノズルの高さを調整することが可能である。従って、塗布ノズルの交換および塗布対象物である表示パネルの形状変更に容易且つ迅速に対応可能である。
【実施例１】
【００２０】
以下、本発明による表示パネル封止装置の好適実施例の構成および動作を、添付図面を参照して詳細に説明する。尚、説明の便宜上、上述した装置の構成要素に対応する構成要素には同様の参照符号を使用することとする。
【００２１】
先ず、図１は、本発明による表示パネル封止装置の好適実施例の全体構成を示す斜視図である。この表示パネル封止装置２０は、ＸＹＺ装置１、ディスペンスコントローラ２、封孔剤塗布機構３、複数の液晶表示パネル（表示パネル）４、治具５および位置決め機構６により構成される。後述する如く、封止剤塗布機構３は、封孔剤が充填された容器１６およびこの容器１６の下端に設けられた塗布ノズル１７等を備える。
【００２２】
治具５に配置された各液晶表示パネル４には、前工程において液晶等の表示媒体が予め注入されて、治具５にセットされ且つ位置決め機構６により位置決め保持されている。ＸＹＺ装置１は、塗布ノズル１７を各液晶表示パネル４へ移動（Ｘ−Ｙ方向への移動）させた後、下降（Ｚ方向への移動）させ封止剤の塗布箇所へ近づける。塗布ノズル１７の高さは、図３に示す如く塗布対象物である液晶表示パネル４の注入孔の上方０．５〜１．０ｍｍになるように設定される。尚、塗布ノズル１７の直径は、約０．８ｍｍであって、塗布対象物に衝突すると簡単に破損する虞がある。
【００２３】
封止剤は、容器１６内に充填されており、ディスペンスコントローラ２から空気チューブを介して送られる圧縮空気により容器１６の下端に設けられた約１５ｍｍの長さの塗布ノズル１７から液晶表示パネル４の封止孔に吐き出される。ここで、塗布機構３は、ＸＹＺ装置１に取り付けられており、ＸＹＺ装置１の可動範囲内の任意の場所へ移動して塗布することが可能である。ＸＹＺ装置１は、例えば３軸直交型ロボットとして市販されているものでもよいが、水平多関節型ロボット（スカラー型ロボット）等でもよい。
【００２４】
塗布ノズル１７から封孔剤を吐き出しながらＸＹＺ装置１を水平移動させることにより、封孔剤を線引き塗布することが可能である。この封孔剤の塗布動作を、治具５にセットされた全ての液晶表示パネル４に対して行う。その後、例えば紫外線の照射による封孔剤の硬化およびその他の後処理を行う。
【００２５】
塗布機構３の塗布ノズル１７による封孔剤の塗布動作における塗布ノズル１７の下降動作において、ＸＹＺ装置１のオーバーラン等により、塗布ノズル１７の高さ調整が不適切で、下方向へ移動しすぎると、塗布ノズル１７の先端が塗布対象物である液晶表示パネル４に衝突することになる。この衝突を検出できずにＸＹＺ装置１が下降し続けると、塗布機構３および／又は液晶表示パネル４を損傷することとなる。斯かる事態を回避するために、後述する如く検出センサ等を設けている。
【００２６】
次に、図２は、本発明の表示パネル封止装置に使用するＸＹＺ装置１に取り付けられた塗布機構３の好適実施例の側面図である。この塗布機構３は、ベース７、マイクロメータヘッド８、スライドレール９、１０、センサホルダ１１、引張ばね１２、容器ホルダ１３、センサドグ１４、検出センサ１５、容器１６、塗布ノズル１７、空気チューブ１８およびアダプタ１９を備えている。
【００２７】
マイクロメータヘッド８は、塗布ノズル１７の交換又はと不対象である液晶表示パネル４の形状変更等により、塗布ノズル１７の位置（高さ）を正確に調整する。マイクロメータヘッド８の先端（上端）は、図示の如くセンサホルダ１１に接触している。引張ばね１２は、センサホルダ１１とベース７との間に設けられ、センサホルダ１１に常時下向きの荷重をかけている。
【００２８】
マイクロメータヘッド８を回転すると、その先端が伸縮し、センサホルダ１１が上下移動、即ち上昇又は下降する。このとき、容器１６を保持する容器ホルダ１３は、センサホルダ１１に吊り下げられているために、センサホルダ１１と同様に上下移動することに注目されたい。即ち、検出センサ１５を作用させるセンサドグ１４と検出センサ１５は、相互に位置関係を保持（又は維持）して、両者の位置関係を変更することなく、塗布ノズル１７の高さ調整を行うことが可能である。
【００２９】
更に、容器ホルダ１３は、センサホルダ１１とは独立して上下移動可能であるため、塗布ノズル１７が液晶表示パネル４と衝突すると、スライドレール１０に取り付けられている容器ホルダ１３のみがスライドし、センサホルダ１１は、現在位置を保持する。このとき、センサドグ１４が検出センサ１５をさえぎり、衝突が起きたことを検知可能である。
【００３０】
以上、本発明による表示パネル封止装置を、液晶表示パネルの製造工程中の封孔剤塗布工程に適用する実施例について詳述した。しかし、斯かる実施例は、本発明の単なる例示に過ぎず、何ら本発明を限定するものではないことに留意されたい。本発明の要旨を逸脱することなく、特定用途に応じて、種々の変形変更が可能であることおよび液晶表示パネル以外の各種液体塗布装置に応用可能であること、当業者には容易に理解できよう。
【図面の簡単な説明】
【００３１】
【図１】本発明による表示パネル封止装置の全体構成を示す斜視図である。
【図２】図１中の封孔剤塗布機構の実施例の側面図である。
【図３】図２の封孔剤塗布機構の塗布ノズルと表示パネルの塗布状態における位置関係の説明図である。
【図４】液晶表示パネルの典型的な封孔剤塗布状態の説明図である。
【図５】従来の塗布機構の説明図である。
【符号の説明】
【００３２】
１  ＸＹＺ装置
２  ディスぺンスコントローラ
３  封孔剤塗布機構
４  表示パネル
５  治具
６  位置決め機構
７  ベール
８  マイクロメータヘッド
９、１０  スライドレール
１１  センサホルダ
１２  引張ばね
１３  容器ホルダ
１４  センサドグ
１５  検出センサ
１６  容器
１７  塗布ノズル
１８  空気チューブ
１９  アダプタ
【図１】
2005122027.tif 000003
【図２】
2005122027.tif 000004
【図３】
2005122027.tif 000005
【図４】
2005122027.tif 000006
【図５】
2005122027.tif 000007